(57)【要約】  被検者の頭皮表面に配置される頭部装着部３０と、頭部装着部３０を制御することで、脳活動に関する脳測定データを得る脳測定データ取得部２１と、脳測定データに基づいて、リハビリの対象とする運動内容に対応する脳活動を被検者の脳が想起できているか否かを判定する判定部２２と備えるリハビリ装置１であって、被検者の身体の一部に取り付けられるモーションセンサ４１と、モーションセンサ４１から被検者の身体の一部の体動に関する体測定データを得る体測定データ取得部３１と、体測定データに基づいて、リハビリの対象とする運動内容に対応しない体動があると検知したときには、被検者の身体の一部の体動を停止させるように警告する警告部３２とを備えることを特徴とする。
2013021492.tif 000002
【特許請求の範囲】
【請求項１】
被検者の頭皮表面に配置される頭部装着部と、
前記頭部装着部を制御することで、脳活動に関する脳測定データを得る脳測定データ取得部と、
前記脳測定データに基づいて、リハビリの対象とする麻痺部分の運動内容に対応する脳活動を前記被検者の脳が想起できているか否かを判定する判定部と備えるリハビリ装置であって、
前記麻痺部分以外となる前記被検者の身体の一部に取り付けられるモーションセンサと、
前記モーションセンサから前記被検者の身体の一部の体動に関する体測定データを得る体測定データ取得部と、
前記体測定データに基づいて、前記リハビリの対象とする運動内容に対応しない体動があると検知したときには、前記被検者の身体の一部の体動を停止させるように警告する警告部とを備えることを特徴とするリハビリ装置。
【請求項２】
前記運動内容は、前記被検者の麻痺部分である手を動かすものであり、
前記モーションセンサは、前記被検者の頭部に取り付けられることを特徴とする請求項１に記載のリハビリ装置。
【請求項３】
前記頭部装着部は、前記頭皮表面に配置される少なくとも一つの送光プローブと、前記頭皮表面に配置される少なくとも一つの受光プローブとを有する送受光部であり、
前記脳測定データ取得部は、前記送光プローブが前記頭皮表面に光を照射するとともに、前記受光プローブが前記頭皮表面から放出される光を検出するように制御することで、前記脳測定データを得ることを特徴とする請求項１又は請求項２に記載のリハビリ装置。
【発明の詳細な説明】
【技術分野】
【０００１】
本発明は、リハビリ装置に関し、さらに詳細には脳卒中の後遺症等により身体の一部が麻痺した患者（被検者）のリハビリのためのリハビリ装置に関する。
【背景技術】
【０００２】
近年、脳の活動状況を観察するために、光を用いて簡便に非侵襲で測定する光脳機能イメージング装置が開発されている。このような光脳機能イメージング装置では、被検者の頭皮表面上に配置した送光プローブにより、異なる３種類の波長λ１、λ２、λ３（例えば、７８０ｎｍと８０５ｎｍと８３０ｎｍ）の近赤外光を脳に照射するとともに、頭皮表面上に配置した受光プローブにより、脳から放出された各波長λ１、λ２、λ３の近赤外光の強度（受光量情報）Ａ（λ１）、Ａ（λ２）、Ａ（λ３）をそれぞれ検出する。
そして、このようにして得られた受光量情報Ａ（λ１）、Ａ（λ２）、Ａ（λ３）から、脳血流中のオキシヘモグロビンの濃度・光路長積[oxyHb]と、デオキシヘモグロビンの濃度・光路長積[deoxyHb]とを求めるために、例えば、Modified Beer Lambert則を用いて関係式（１）（２）（３）に示す連立方程式を作成して、この連立方程式を解いている（例えば、非特許文献１参照）。さらには、オキシヘモグロビンの濃度・光路長積[oxyHb]と、デオキシヘモグロビンの濃度・光路長積[deoxyHb]とから総ヘモグロビンの濃度・光路長積（[oxyHb]＋[deoxyHb]）を算出している。
Ａ（λ１）＝ＥＯ（λ１）×[oxyHb]＋Ｅｄ（λ１）×[deoxyHb]・・・（１）
Ａ（λ２）＝ＥＯ（λ２）×[oxyHb]＋Ｅｄ（λ２）×[deoxyHb]・・・（２）
Ａ（λ３）＝ＥＯ（λ３）×[oxyHb]＋Ｅｄ（λ３）×[deoxyHb]・・・（３）
なお、ＥＯ（λｍ）は、波長λｍの光におけるオキシヘモグロビンの吸光度係数であり、Ｅｄ（λｍ）は、波長λｍの光におけるデオキシヘモグロビンの吸光度係数である。【０００３】
ここで、送光プローブと受光プローブとの間の距離（チャンネル）と、測定部位との関係について説明する。図４（ａ）は、一対の送光プローブ及び受光プローブと、測定部位との関係を示す断面図であり、図４（ｂ）は、図４（ａ）の平面図である。
送光プローブ１２が被検者の頭皮表面の送光点Ｔに押し当てられるとともに、受光プローブ１３が被検者の頭皮表面の受光点Ｒに押し当てられる。そして、送光プローブ１２から光を照射させるとともに、受光プローブ１３に頭皮表面から放出される光を入射させる。このとき、光は、頭皮表面の送光点Ｔから照射された光のうちで、バナナ形状（測定領域）を通過した光が、頭皮表面の受光点Ｒに到達する。これにより、測定領域の中でも、特に送光点Ｔと受光点Ｒとを被検者の頭皮表面に沿って最短距離で結んだ線Ｌの中点Ｍから、送光点Ｔと受光点Ｒとを被検者の頭皮表面に沿って最短距離で結んだ線の距離の半分の深さＬ／２である被検者の測定部位Ｓに関する受光量情報Ａ（λ１）、Ａ（λ２）、Ａ（λ３）が得られるとしている。【０００４】
また、光脳機能イメージング装置では、脳の複数箇所の測定部位に関するオキシヘモグロビンの濃度・光路長積[oxyHb]、デオキシヘモグロビンの濃度・光路長積[deoxyHb]及び総ヘモグロビンの濃度・光路長積（[oxyHb]＋[deoxyHb]）をそれぞれ測定するために、例えば、近赤外分光分析計等が利用されている（例えば、特許文献１参照）。
図５は、従来の近赤外分光分析計の概略構成の一例を示すブロック図である。なお、見やすくするために、数本の送光用光ファイバや数本の受光用光ファイバ等を省略している。
近赤外分光分析計１０１は、直方体形状の筐体１１を有する。
筐体１１の内部には、光を出射する光源２と、光源２を駆動する光源駆動機構４と、光を検出する光検出器３と、Ａ／Ｄ（Ａ／Ｄコンバータ）５と、送受光用制御部２１と、解析用制御部１２２と、メモリ２３とを備える。また、筐体１１の外部には、６４個の送光プローブ１２と、６４個の受光プローブ１３と、６４本の送光用光ファイバ１４と、６４本の受光用光ファイバ１５と、モニタ画面２６ａ等を有する表示装置２６と、キーボード（入力装置）２７とを備える。【０００５】
光源駆動機構４は、送受光用制御部２１から入力された駆動信号により光源２を駆動する。光源２は、例えば、異なる３種類の波長λ１、λ２、λ３の近赤外光を出射することができる半導体レーザＬＤ１、ＬＤ２、ＬＤ３等である。
光検出器３は、近赤外光をそれぞれ検出することにより、受光信号（受光量情報）Ａ（λ１）、Ａ（λ２）、Ａ（λ３）をＡ／Ｄ５を介して送受光用制御部２１に出力する検出器であり、例えば、光電子増倍管等である。【０００６】
送光用光ファイバ１４と受光用光ファイバ１５とは、直径２ｍｍ、長さ２ｍ〜１０ｍの管状であり、近赤外光を軸方向に伝達することができ、一端部から入射した近赤外光が、内部を通過して他端部から出射したり、他端部から入射した近赤外光が、内部を通過して一端部から出射したりするようになっている。
１本の送光用光ファイバ１４は、１個の送光用プローブ１２と、光源２の１個の半導体レーザＬＤ１、ＬＤ２、ＬＤ３とを設定長さ（２ｍ〜１０ｍ）で離れるように両端部に接続している。
１本の受光用光ファイバ１５は、１個の受光用プローブ１３と、光検出器３の１個の光電子増倍管とを設定長さ（２ｍ〜１０ｍ）で離れるように両端部に接続している。【０００７】
このような近赤外分光分析計１０１においては、６４個の送光プローブ１２と６４個の受光プローブ１３とを所定の配列で被検者の頭皮表面に接触させるために、ホルダ（送受光部）３０が使用される。図２は、６４個の送光プローブと６４個の受光プローブとが挿入されるホルダ３０の一例を示す平面図である。
送光プローブ１２Ｔ１〜１２Ｔ６４と受光プローブ１３Ｒ１〜１３Ｒ６４とは、縦方向に１６個と横方向に１６個とに交互となるように配置されることになる。これにより、送光プローブ１２と受光プローブ１３とのプローブ間隔が一定となり、頭皮表面から特定の深度となる受光量情報Ａ（λ１）、Ａ（λ２）、Ａ（λ３）を得ている。なお、一般的にチャンネルを３０ｍｍとしたものが用いられ、チャンネルが３０ｍｍである場合には、チャンネルの中点からの深度１５ｍｍ〜２０ｍｍの受光量情報Ａ（λ１）、Ａ（λ２）、Ａ（λ３）が得られると考えられている。すなわち、頭皮表面から深度１５ｍｍ〜２０ｍｍの位置は脳表部位にほぼ対応し、脳活動に関係した受光量情報Ａ（λ１）、Ａ（λ２）、Ａ（λ３）を得ている。【０００８】
送受光用制御部２１は、メモリ２３に記憶された制御テーブルに基づいて、所定の時間に、１個の送光プローブ１２に光を送光する駆動信号を光源駆動機構４に出力するとともに、受光プローブ１３で受光された受光信号（受光量情報）を光検出器３で検出させる。
その結果、図２に示すように平面視すると、合計２３２個（Ｓ１〜Ｓ２３２）の受光量情報Ａ（λ１）、Ａ（λ２）、Ａ（λ３）の収集が行なわれる。
そして、解析用制御部１２２は、合計２３２個の受光量情報Ａ（λ１）、Ａ（λ２）、Ａ（λ３）に基づいて、関係式（１）（２）（３）を用いて、各波長（オキシヘモグロビンの吸収波長及びデオキシヘモグロビンの吸収波長）の通過光強度から、オキシヘモグロビンの濃度・光路長積[oxyHb]、デオキシヘモグロビンの濃度・光路長積[deoxyHb]及び総ヘモグロビンの濃度・光路長積（[oxyHb]＋[deoxyHb]）を求めている。【０００９】
ところで、近年、脳卒中の後遺症等により麻痺した患者の麻痺部分（身体の一部）を効果的に回復させるための方法や装置に関して研究が進められている。そこで、患者の脳のオキシヘモグロビンの濃度・光路長積[oxyHb]（脳測定データ）等を得ることができる近赤外分光分析計１０１を具備したリハビリ装置が提案されている（例えば、特許文献３参照）。
これにより、患者がリハビリを行う際に、リハビリ装置がオキシヘモグロビンの濃度・光路長積[oxyHb]等に基づいて、リハビリの対象とする運動内容に対応する脳活動を患者の脳が想起できているか否かを判定することで、患者の脳が脳活動を想起できていることや、患者の脳が脳活動を想起できている程度をグラフで表示することが実行されている。
【先行技術文献】
【特許文献】
【００１０】
【特許文献１】特開２００１−３３７０３３号公報
【特許文献２】特開２００９−０７７８４１号公報
【特許文献３】特許第４６１８７９５号公報
【非特許文献】
【００１１】
【非特許文献１】Factors affecting the accuracy of near-infrared spectroscopy concentration calculations for focal changes in oxygenation parameters, NeuroImage 18, 865-879, 2003
【発明の概要】
【発明が解決しようとする課題】
【００１２】
しかし、リハビリを行う際に、リハビリの対象とする運動内容に対応した脳活動を患者の脳に想起させようとしても、患者は麻痺部分を長い間動かしていなかったため、リハビリ対象の運動内容（麻痺部分の運動）に対応しない体動（麻痺部分とは異なる頭部や腕等の体動）を起こしてしまうことがあった。そのため、脳測定データに、リハビリの対象とする運動内容に対応しない体動（麻痺部分とは異なる頭部や腕等の体動）に起因するアーティファクトや雑音が入ることがあり、リハビリ装置の判定結果が正確でないことがあった。
そこで、本発明は、被検者がリハビリの対象とする運動内容に対応しない体動（麻痺部分とは異なる頭部や腕等の体動）を起こした場合に警告することにより、アーティファクトや雑音が入らない正確な脳測定データを取得することができ、被検者が効果的にリハビリを行うことができるリハビリ装置を提供することを目的とする。
【課題を解決するための手段】
【００１３】
上記課題を解決するためになされた本発明のリハビリ装置は、被検者の頭皮表面に配置される頭部装着部と、前記頭部装着部を制御することで、脳活動に関する脳測定データを得る脳測定データ取得部と、前記脳測定データに基づいて、リハビリの対象とする麻痺部分の運動内容に対応する脳活動を前記被検者の脳が想起できているか否かを判定する判定部と備えるリハビリ装置であって、前記麻痺部分以外となる前記被検者の身体の一部に取り付けられるモーションセンサと、前記モーションセンサから前記被検者の身体の一部の体動に関する体測定データを得る体測定データ取得部と、前記体測定データに基づいて、前記リハビリの対象とする運動内容に対応しない体動があると検知したときには、前記被検者の身体の一部の体動を停止させるように警告する警告部とを備えるようにしている。
【発明の効果】
【００１４】
本発明のリハビリ装置によれば、被検者がリハビリを行う前に、頭部装着部を被検者の頭皮表面に配置する。また、モーションセンサを、麻痺部分（例えば手）とは異なる被検者の身体の一部（例えば頭）に取り付ける。そして、被検者は、リハビリとして行う麻痺部分の運動内容（手の運動）を想起する。このとき、脳測定データ取得部は、頭部装着部から脳活動に関する脳測定データを得ていくとともに、体測定データ取得部は、モーションセンサから被検者の身体の一部（頭）の体動に関する体測定データを得ていく。これにより、警告部は、リハビリの対象とする運動内容に対応しない体動（手でなく頭の運動）があると検知したときには、被検者の身体の一部（頭）の体動を停止させるように警告する。その結果、被検者は、身体の一部（頭）が体動していることを理解して、身体の一部（頭）の体動を停止させることができる。
一方、警告部は、リハビリの対象とする運動内容に対応しない体動（手でなく頭の運動）がないときには、警告しないため、被検者は、リハビリの対象とする運動内容（手の運動）を想起し続けることになる。
以上のように、本発明のリハビリ装置によれば、アーティファクトや雑音が入らない正確な脳測定データを取得することができ、被検者は効果的にリハビリを行うことができる。【００１５】
（その他の課題を解決するための手段及び効果）
また、本発明のリハビリ装置は、前記運動内容は、前記被検者の麻痺部分である手を動かすものであり、前記モーションセンサは、前記被検者の頭部に取り付けられるようにしてもよい。
さらに、本発明のリハビリ装置は、前記頭部装着部は、前記頭皮表面に配置される少なくとも一つの送光プローブと、前記頭皮表面に配置される少なくとも一つの受光プローブとを有する送受光部であり、前記脳測定データ取得部は、前記送光プローブが前記頭皮表面に光を照射するとともに、前記受光プローブが前記頭皮表面から放出される光を検出するように制御することで、前記脳測定データを得るようにしてもよい。
【図面の簡単な説明】
【００１６】
【図１】本発明の一実施形態であるリハビリ装置の構成を示すブロック図。
【図２】送光プローブと受光プローブとが挿入されるホルダの一例を示す平面図。
【図３】リハビリ方法の一例について説明するためのフローチャート。
【図４】一対の送光プローブ及び受光プローブと、測定部位との関係を示す図。
【図５】従来の近赤外分光分析計の概略構成の一例を示すブロック図。
【発明を実施するための形態】
【００１７】
以下、本発明の実施形態について図面を用いて説明する。なお、本発明は、以下に説明するような実施形態に限定されるものではなく、本発明の趣旨を逸脱しない範囲で種々の態様が含まれることはいうまでもない。
【００１８】
図１は、本発明の一実施形態であるリハビリ装置の構成を示すブロック図である。なお、近赤外分光分析計１０１と同様のものについては、同じ符号を付している。
リハビリ装置１は、直方体形状の筐体１１を有する。筐体１１の内部には、光を出射する光源２と、光源２を駆動する光源駆動機構４と、光を検出する光検出器３と、Ａ／Ｄ（Ａ／Ｄコンバータ）５、４２と、送受光用制御部（脳測定データ取得部）２１と、解析用制御部（判定部）２２と、モーションセンサ制御部（体測定データ取得部）３１と、警告部３２と、メモリ２３とを備えるとともに、筐体１１の外部には、６４個の送光プローブ１２と、６４個の受光プローブ１３と、６４本の送光用光ファイバ１４と、６４本の受光用光ファイバ１５と、モーションセンサ４１と、モニタ画面２６ａ等を有する表示装置２６と、キーボード（入力装置）２７とを備える。
また、リハビリ装置１は、図２に示すようなホルダ３０を備えている。
【００１９】
ここで、本実施形態では、リハビリの対象とする運動内容に対応する脳活動を患者（被検者）の脳が想起できているかを決定するために、脳測定データとして異なる３種類の波長λ１、λ２、λ３の近赤外光で計測されるオキシヘモグロビンの濃度・光路長積[oxyHb]、デオキシヘモグロビンの濃度・光路長積[deoxyHb]及び総ヘモグロビンの濃度・光路長積（[oxyHb]＋[deoxyHb]）の値を利用する。また、患者は、リハビリの対象とする運動内容として、脳卒中の後遺症等により麻痺した手（身体の一部）をグーとパーとに交互にする動作を想起するとともに、想起することによって麻痺した手をグーとパーとに交互にする動作を行うこととする。
【００２０】
そこで、メモリ２３には、リハビリの対象とする運動内容に対応する脳活動を示す脳測定データが、リハビリの対象とする運動内容に対応する脳活動が想起されたか否かを判定するための判定用データとして予め記憶されている。判定用データは、例えば、健康な被検者がリハビリの対象とする運動内容を行ったときに、各脳座標位置における、オキシヘモグロビンの濃度・光路長積[oxyHb]、デオキシヘモグロビンの濃度・光路長積[deoxyHb]及び総ヘモグロビンの濃度・光路長積（[oxyHb]＋[deoxyHb]）の値を計測することにより、特徴がある脳座標位置（ｘ、ｙ、ｚ）におけるオキシヘモグロビンの濃度・光路長積[oxyHb]、デオキシヘモグロビンの濃度・光路長積[deoxyHb]及び総ヘモグロビンの濃度・光路長積（[oxyHb]＋[deoxyHb]）の値を記憶させたものである。
例えば、健康な被検者が手をグーとパーとに交互にする動作を行った場合に、脳座標位置（ｘ１、ｙ１、ｚ１）に特徴があると判断したときには、脳座標位置（ｘ１、ｙ１、ｚ１）におけるオキシヘモグロビンの濃度・光路長積[oxyHb]、デオキシヘモグロビンの濃度・光路長積[deoxyHb]及び総ヘモグロビンの濃度・光路長積（[oxyHb]＋[deoxyHb]）の値を、手をグーとパーとに交互にする動作を行うときに得られる脳測定データとして記憶させておく。なお、脳座標位置（ｘ、ｙ、ｚ）は、タライニック座標やＭＮＩ（エムニ）座標で示される値である。
【００２１】
解析用制御部２２は、患者がリハビリを行う際には、合計２３２個の受光量情報Ａ（λ１）、Ａ（λ２）、Ａ（λ３）に基づいて、関係式（１）（２）（３）を用いて、各波長（オキシヘモグロビンの吸収波長及びデオキシヘモグロビンの吸収波長）の通過光強度から、オキシヘモグロビンの濃度・光路長積[oxyHb]、デオキシヘモグロビンの濃度・光路長積[deoxyHb]及び総ヘモグロビンの濃度・光路長積（[oxyHb]＋[deoxyHb]）を求める。さらに、解析用制御部２２は、オキシヘモグロビンの濃度・光路長積[oxyHb]（脳測定データ）等に基づいて、手をグーとパーとに交互にする動作（リハビリの対象とする運動内容）に対応する脳活動を患者の脳が想起できているか否かを判定する。
例えば、脳座標位置（ｘ、ｙ、ｚ）において、オキシヘモグロビンの濃度・光路長積[oxyHb]、デオキシヘモグロビンの濃度・光路長積[deoxyHb]及び総ヘモグロビンの濃度・光路長積（[oxyHb]＋[deoxyHb]）の値と、判定用データの値とを比較して、脳測定データの値が判定用データの値にどの程度近いかを判定する。このとき、脳測定データの値が判定用データの所定の範囲に入ったときには、手をグーとパーとに交互にする動作（リハビリの対象とする運動内容）に対応する脳活動を患者の脳が想起できているとする。そして、解析用制御部２２は、モニタ画面２６ａに判定結果を示す画像表示を行う。これにより、患者は、判定結果を観察しながら効果的にリハビリを行うことができる。
【００２２】
さらに、本実施形態では、アーティファクトや雑音が入らない正確な脳測定データによって得られた判定結果が示されるように、麻痺部分（例えば手）とは異なる患者の身体の一部（例えば、頭部や腕等）に取り付けられるためのモーションセンサ４１を備える。モーションセンサ４１は、動きを示す体測定データＢを検出することにより、体測定データＢをＡ／Ｄ４２を介してモーションセンサ制御部３１に出力するものであり、例えば、３軸加速度センサ・３軸ジャイロセンサの6軸モーションセンサ等である。
モーションセンサ制御部３１は、患者がリハビリを行う際には、モーションセンサ４１で検出された体測定データＢを所定の時間間隔（例えば、１秒間隔）で取得していく制御を行う。
【００２３】
警告部３２は、患者がリハビリを行う際には、体測定データＢに基づいて、リハビリの対象とする運動内容に対応しない体動があると検知したときには、患者の身体の一部の体動を停止させるように警告する制御を行う。例えば、モーションセンサ４１が患者の頭部に取り付けられ、患者が手をグーとパーとに交互にする動作を想起したにもかかわらず、体測定データＢが閾値を超えたときには、モニタ画面２６ａに「頭を動かしてはいけない」と画像表示を行う。一方、体測定データＢが閾値以下であるときには、モニタ画面２６ａに警告を示す画像表示を行わない。
【００２４】
ここで、リハビリ装置１により患者がリハビリを行うリハビリ方法について説明する。図３は、リハビリ方法の一例について説明するためのフローチャートである。
まず、ステップＳ１０１の処理において、医師等は患者の頭皮表面にホルダ３０を配置するとともに、患者の頭部（麻痺部分（手）とは異なる身体の一部）にモーションセンサ４１を取り付ける。
次に、ステップＳ１０２の処理において、患者に、手をグーとパーとに交互にする動作（リハビリの対象とする運動内容）を想起させるように指示する。
【００２５】
次に、ステップＳ１０３の処理において、送受光用制御部２１は、メモリ２３に記憶された制御テーブルに基づいて、所定の時間に、１個の送光プローブ１２に光を送光する駆動信号を光源駆動機構４に出力するとともに、受光プローブ１３で受光された受光信号（脳測定データ）を光検出器３で検出させる。
次に、ステップＳ１０３の処理を実行すると同時に、ステップＳ１０４の処理において、モーションセンサ制御部３１は、モーションセンサ４１で検出された体測定データＢを取得する。
次に、ステップＳ１０５の処理において、警告部３２は、体測定データＢに基づいて、頭の運動（リハビリの対象とする運動内容に対応しない体動）があるか否かを判定する。頭の運動（リハビリの対象とする運動内容に対応しない体動）がないと判定したときには、ステップＳ１０６の処理において、解析用制御部２２は、オキシヘモグロビンの濃度・光路長積[oxyHb]（脳測定データ）等に基づいて、手をグーとパーとに交互にする動作（リハビリの対象とする運動内容）に対応する脳活動を患者の脳が想起できているか否かを判定する。
【００２６】
手をグーとパーとに交互にする動作（リハビリの対象とする運動内容）に対応する脳活動を患者の脳が想起できていると判定したときには、ステップＳ１０７の処理において、解析用制御部２２は、モニタ画面２６ａに警告を示す画像表示を行わず、「上手く想起できている」ことを示す画像表示を行う。
一方、手をグーとパーとに交互にする動作（リハビリの対象とする運動内容）に対応する脳活動を患者の脳が想起できていないと判定したときには、ステップＳ１０８の処理において、解析用制御部２２は、モニタ画面２６ａに「想起できていない」ことを示す画像表示を行う。
【００２７】
一方、ステップＳ１０５の処理において、頭の運動（リハビリの対象とする運動内容に対応しない体動）があると判定したときには、ステップＳ１０９の処理において、警告部３２は、頭の運動（リハビリの対象とする運動内容に対応しない体動）を停止させるように、モニタ画面２６ａに警告を示す画像表示を行う。
そして、ステップＳ１０７の処理かステップＳ１０８の処理かステップＳ１０９の処理かのいずれかの処理を実行した後には、ステップＳ１１０の処理において、患者がリハビリを行うことを続けるか否かを判断する。患者がリハビリを行うことを続けると判断したときには、ステップＳ１０２の処理に戻る。つまり、患者がリハビリを行うことを止めると判断するまで、ステップＳ１０２〜ステップＳ１１０の処理は繰り返される。
一方、患者がリハビリを行うことを止めると判断したときには、本フローチャートを終了させる。
【００２８】
以上のように、リハビリ装置１によれば、アーティファクトや雑音が入らない正確な脳測定データを取得することができ、患者は効果的にリハビリを行うことができる。
【００２９】
＜他の実施形態＞
（１）上述したリハビリ装置１では、６４個の送光プローブ１２と６４個の受光プローブ１３とを有するホルダ３０を示したが、異なる数、例えば９個の送光プローブと９個の受光プローブとを有するホルダとしてもよい。
（２）上述したリハビリ装置１では、脳測定データとして異なる３種類の波長λ１、λ２、λ３の近赤外光で計測されるオキシヘモグロビンの濃度・光路長積[oxyHb]、デオキシヘモグロビンの濃度・光路長積[deoxyHb]及び総ヘモグロビンの濃度・光路長積（[oxyHb]＋[deoxyHb]）の値を利用する構成を示したが、脳波計（ＥＥＧ）等により取得された脳測定データを利用する構成としてもよい。
【００３０】
（３）上述したリハビリ装置１では、１個のモーションセンサ４１を患者の頭部に取り付ける構成を示したが、患者の腕に取り付けてもよく、さらに複数個のモーションセンサ４１を患者の腕や足に取り付ける構成としてもよい。
（４）上述したリハビリ装置１では、脳測定データの値が判定用データの所定の範囲に入ったときには、リハビリの対象とする運動内容に対応する脳活動を患者の脳が想起できているとする構成を示したが、患者の脳が脳活動を想起できている程度をグラフで表示する構成としてもよい。
【産業上の利用可能性】
【００３１】
本発明は、脳卒中の後遺症等により身体の一部が麻痺した患者（被検者）のリハビリのためのリハビリ装置に利用することができる。
【符号の説明】
【００３２】
１：  リハビリ装置
１２：  送光プローブ
１３：  受光プローブ
２１：  送受光部制御部（脳測定データ取得部）
２２：  解析用制御部（判定部）
３０：  ホルダ（頭部装着部）
３１：  モーションセンサ制御部（体測定データ取得部）
３２：  警告部
４１：  モーションセンサ
Ｔ：  送光点
Ｒ：  受光点
Ｍ：  計測点
【図１】
2013021492.tif 000003
【図２】
2013021492.tif 000004
【図３】
2013021492.tif 000005
【図４】
2013021492.tif 000006
【図５】
2013021492.tif 000007
【国際調査報告】
2013021492.tif 000008
2013021492.tif 000009
2013021492.tif 000010
2013021492.tif 000011